(57)【要約】【課題】下方を向いたガスメータ入口及び出口を有する小型のガスメータを簡易に取り付けることができるガス栓一体型のガスメータ取付ユニットを提供する。【解決手段】ガスメータ５０の取付ユニット１は、ガスメータ入口５１、出口５２との継手６０を備える。同継手は、袋ナット６１、該ナット内周側に取り付けられるストップリング６３、袋ナットに螺合可能なネジ部６５、該ネジ部内周側に取り付けられるＯリング６７ａ、６７ｃ、ネジ部内周に差込可能なストップリングと係合するストップリング溝６１ａの形成された差込部６９を有する。同継手を接続するときは、袋ナットをネジ部に螺合した状態で該ネジ部内周に差込部を差し込み、同継手の接続解除するときは、袋ナットをネジ部から外す。同継手を接続するときは差し込み動作のみによるワンタッチで接続できるので、ガスメータの取付作業に熟練していなくてもガスメータを簡易に取り付けることができる。【選択図】図３
2009063547.tif 000002
【特許請求の範囲】
【請求項１】
下方を向いたガスメータ入口及び出口を有するガスメータの取付ユニットであって、
前記ガスメータ入口との継手、ガス通路を開閉するガス栓及び入側配管との継手を有する入口管部と、
前記ガスメータ出口との継手、ガス圧を検出する検圧プラグ及び出側配管との継手を有する出口管部と、
前記入口管部及び前記出口管部を支持して建物壁等と連結する支持部材と、を備え、
前記ガスメータ入口及び出口との継手の少なくとも一方が、
袋ナット、
該袋ナットの内周側に取り付けられるストップリング、
前記袋ナットに螺合可能なネジ部、
該ネジ部の内周側に取り付けられるＯリング、及び、
前記ネジ部の内周に差込可能な前記ストップリングと係合するストップリング溝の形成された差込部を有し、
同継手を接続するときは、前記袋ナットを前記ネジ部に螺合した状態で該ネジ部内周に前記差込部を差し込み、一方、同継手の接続を解除するときは、前記袋ナットを前記ネジ部から外すことを特徴とするガスメータ取付ユニット。
【請求項２】
前記入口管部又は前記出口管部の側に前記ストップリングが配置されており、
該配置に対応する前記ガスメータ入口又は出口の側に前記ストップリング溝が形成されていることを特徴とする、請求項１記載のガスメータ取付ユニット。
【請求項３】
前記ガスメータ入口及び出口との継手の両方が、請求項１又は２記載の構成であることを特徴とするガスメータ取付ユニット。
【請求項４】
下方を向いたガスメータ入口及び出口を有するガスメータの取付ユニットであって、
前記ガスメータ入口との継手、ガス通路を開閉するガス栓及び入側配管との継手を有する入口管部と、
前記ガスメータ出口との継手、ガス圧を検出する検圧プラグ及び出側配管との継手を有する出口管部と、
前記入口管部及び前記出口管部を支持して建物壁等と連結する支持部材と、を備え、
前記ガスメータ入口及び出口との継手の一方が、
袋ナット、
該袋ナットの内周側に取り付けられるストップリング、
前記袋ナットに螺合可能なネジ部、
該ネジ部の内周側に取り付けられるＯリング、及び、
前記ネジ部の内周に差込可能な前記ストップリングと係合するストップリング溝の形成された差込部を有し、
同継手を接続するときは、前記袋ナットを前記ネジ部に螺合した状態で該ネジ部内周に前記差込部を差し込み、一方、同継手の接続を解除するときは、前記袋ナットを前記ネジ部から外すものであり、
他方の継手が、
前記ガスメータ入口又は出口に形成される差し込み凹部、
前記入口管部又は前記出口管部に形成された、前記凹部に差し込み可能な差し込み凸部、及び、
該凸部に取り付けられるＯリングを有し、
同他方の継手を接続するときは、前記差し込み凹部を前記差し込み凸部に対し押し下げ、一方、同他方の継手の接続を解除するときは、前記差し込み凹部を前記差し込み凸部から抜き取ることを特徴とするガスメータ取付ユニット。
【請求項５】
下方を向いたガスメータ入口及び出口を有するガスメータの取付ユニットであって、
前記ガスメータ入口との継手、ガス通路を開閉するガス栓及び入側配管との継手を有する入口管部と、
前記ガスメータ出口との継手、ガス圧を検出する検圧プラグ及び出側配管との継手を有する出口管部と、
前記入口管部及び前記出口管部を支持して建物壁等と連結する支持部材と、を備え、
前記ガスメータ入口及び出口との継手の一方が、
袋ナット、
該袋ナットの内周側に取り付けられるストップリング、
前記袋ナットに螺合可能なネジ部、
該ネジ部の内周側に取り付けられるＯリング、及び、
前記ネジ部の内周に差込可能な前記ストップリングと係合するストップリング溝の形成された差込部を有し、
同継手を接続するときは、前記袋ナットを前記ネジ部に螺合した状態で該ネジ部内周に前記差込部を差し込み、一方、同継手の接続を解除するときは、前記袋ナットを前記ネジ部から外すものであり、
他方の継手が、
前記ガスメータ入口又は出口に取り付けられた袋ナット、
前記入口管部又は前記出口管部と一体形成された、前記袋ナットに螺合可能なナット部、及び、
該ナット部近傍に取り付けられる端面パッキンを有し、
同他方の継手を接続するときは、前記袋ナットを前記ナット部に螺合し、一方、同他方の継手の接続を解除するときは、前記袋ナットを前記ナット部から外すことを特徴とするガスメータ取付ユニット。
【発明の詳細な説明】
【技術分野】
【０００１】
本発明は、ガスメータを建物壁等に取り付けるためのガスメータ取付ユニットに関する。特には、下方を向いたガスメータ入口及び出口を有する小型のガスメータを取り付けるガス栓一体型のガスメータ取付ユニットに関する。
【背景技術】
【０００２】
特許文献１には、ガスメータを建物壁等に取り付けるためのガスメータ取付ユニットが開示されている。同文献のガスメータは超音波式（フルイディック式）であり、従来のものより小型になっている。同ガスメータの取付ユニットは、略Ｈ字型の入口管部及び出口管部を備えている。入口管部及び出口管部の下端部の雌螺子には、２本並んで上方に延び出した入側配管及び出側配管がそれぞれ継手を介して接続されるようになっている。そして、入口管部及び出口管部の上端部のユニオンには、下方を向いたガスメータ入口及び出口を有するガスメータが取り付けられるようになっている。
【０００３】
【特許文献１】意匠登録１０６７８６４号
【発明の開示】
【発明が解決しようとする課題】
【０００４】
前述した特許文献１のガスメータ取付ユニットは、充分にユーザーニーズに応えられる優れたものであるが、入口管部及び出口管部とガスメータ入口及び出口との芯出しを行いながらユニオンによりガスメータを取り付ける必要があるため、取付作業に熟練を要するものである。
【０００５】
本発明は上記課題に鑑みてなされたものであって、下方を向いたガスメータ入口及び出口を有する小型のガスメータを簡易に取り付けることができるガス栓一体型のガスメータ取付ユニットを提供することを目的とする。
【課題を解決するための手段】
【０００６】
上記目的を達成するための、本発明の一形態のガスメータ取付ユニットは、  下方を向いたガスメータ入口及び出口を有するガスメータの取付ユニットであって、  前記ガスメータ入口との継手、ガス通路を開閉するガス栓及び入側配管との継手を有する入口管部と、  前記ガスメータ出口との継手、ガス圧を検出する検圧プラグ及び出側配管との継手を有する出口管部と、  前記入口管部及び前記出口管部を支持して建物壁等と連結する支持部材と、を備え、  前記ガスメータ入口及び出口との継手の少なくとも一方が、  袋ナット、  該袋ナットの内周側に取り付けられるストップリング、  前記袋ナットに螺合可能なネジ部、  該ネジ部の内周側に取り付けられるＯリング、及び、  前記ネジ部の内周に差込可能な前記ストップリングと係合するストップリング溝の形成された差込部を有し、  同継手を接続するときは、前記袋ナットを前記ネジ部に螺合した状態で該ネジ部内周に前記差込部を差し込み、一方、同継手の接続を解除するときは、前記袋ナットを前記ネジ部から外すことを特徴とする。
【０００７】
このような構成のガスメータ取付ユニットによれば、前記入口管部及び前記出口管部の少なくとも一方の側の継手を接続するときは差し込み動作のみによる、所謂ワンタッチで接続できるので、ガスメータの取付作業に熟練していなくてもガスメータを簡易に取り付けることができる。
【０００８】
上記形態のガスメータ取付ユニットにおいては、前記入口管部又は前記出口管部の側に前記ストップリングが形成されており、  該配置に対応する前記ガスメータ入口又は出口の側に前記ストップリング溝が形成されたものとすることができる。
このような構成においては、継手を接続した後はストップリングにより入口管部及び出口管部とガスメータ入口及び出口との少なくとも一方が自動的に抜け止めされるので、抜け止め作業を省略することができ、ガスメータの取付作業に手間が掛からず、ガスメータを簡易に取り付けることができる。
【０００９】
上記形態のガスメータ取付ユニットにおいては、前記ガスメータ入口及び出口との継手の両方が、上記ワンタッチ継手であるものとすることができる。
このような構成においては、入口管部及び出口管部とガスメータ入口及び出口との継手を接続するときは差し込み動作のみによるワンタッチで接続できるので、従来必要であった接続作業中の入口管部及び出口管部とガスメータ入口及び出口との芯出しを行う必要が無く、ガスメータの取付作業に熟練していなくてもガスメータをより簡易に取り付けることができる。
【００１０】
上記形態のガスメータ取付ユニットにおいては、前記ガスメータ入口又は出口との継手の一方が、上記ワンタッチ継手であり、  他方の継手が、  前記ガスメータ入口又は出口に形成される差し込み凹部、  前記入口管部又は前記出口管部に形成された、前記凹部に差し込み可能な差し込み凸部、及び、  該凸部に取り付けられるＯリングを有し、  同他方の継手を接続するときは、前記差し込み凹部を前記差し込み凸部に対し押し下げ、一方、同他方の継手の接続を解除するときは、前記差し込み凹部を前記差し込み凸部から抜き取るものとすることができる。
【００１１】
このような構成においては、入口管部及び出口管部とガスメータ入口及び出口との継手を接続するときは差し込み動作のみによるワンタッチで接続できるので、従来必要であった接続作業中の入口管部及び出口管部とガスメータ入口及び出口との芯出しを行う必要が無く、ガスメータの取付作業に熟練していなくてもガスメータをより簡易に取り付けることができる。また、他方の継手の接続を解除するときは差し込み凹部を差し込み凸部から抜き取る動作のみで良いので、ガスメータをより簡易に取り外すことができる。更に、他方の継手では従来のメータで使用されるユニオン継手の袋ナットやネジの分だけ部品点数を減少させることができ、部品コストを抑えることができる。
【００１２】
上記形態のガスメータ取付ユニットにおいては、前記ガスメータ入口又は出口との継手の一方が、上記ワンタッチ継手であり、  他方の継手が、  前記ガスメータ入口又は出口に取り付けられた袋ナット、  前記入口管部又は前記出口管部と一体形成された、前記袋ナットに螺合可能なナット部、及び、  該ナット部近傍に取り付けられる端面パッキンを有し、  同他方の継手を接続するときは、前記袋ナットを前記ナット部に螺合し、一方、同他方の継手の接続を解除するときは、前記袋ナットを前記ナット部から外すものとすることができる。
【００１３】
このような構成においても、入口管部又は出口管部とガスメータ入口又は出口との継手の一方を接続するときは差し込み動作のみによるワンタッチで接続でき、他方を接続するときの締結動作のみとなるので、従来必要であった接続作業中の入口管部及び出口管部とガスメータ入口及び出口との芯出しを行う必要が無く、ガスメータの取付作業に熟練していなくてもガスメータをより簡易に取り付けることができる。
【発明の効果】
【００１４】
本発明によれば、下方を向いたガスメータ入口及び出口を有する小型のガスメータを簡易に取り付けることができるガス栓一体型のガスメータ取付ユニットを提供することができる。
【発明を実施するための形態】
【００１５】
以下、本発明の実施の形態について、図面を参照しながら詳細に説明する。
図１は、本発明の実施形態に係るガスメータ取付ユニットを示す外観斜視図であり、該取付ユニットにガスメータが取り付けられた状態が示されている。図２（Ａ）は、図１の取付ユニット及びガスメータの正面図であり、図２（Ｂ）は、左側面図であり、図２（Ｃ）は、右側面図である。
【００１６】
図１及び図２に示すように、このガスメータ取付ユニット１は、下端部がガスの入側配管２に継手１６を介して接続され上端部がガスメータ５０の入口５１に継手６０を介して接続される略Ｉ字型の入口管部１０と、同様に、下端部がガスの出側配管３に継手１８を介して接続され上端部が同ガスメータ５０の出口５２に継手６０を介して接続される略Ｉ字型の出口管部４０と、これら両管部１０、４０を支持する支持プレート４８とを備えている。
【００１７】
この例で用いられているガスメータ５０は、超音波式の小型ガスメータであり、四角い箱状の筐体に収容されている。ガスメータ５０の入口５１は、筐体下面の左側に下向きに配置されている。ガスメータ５０の出口５２は、筐体下面の右側に下向きに配置されている。筐体の正面にはメータ表示部５５が配置されており、同ガスメータにより計測された計測値がこの表示部５５に表示されるようになっている。
【００１８】
ガスの入側配管２及び出側配管３は、建物壁に沿うようにして互いに平行に上向きに延び出した、従来一般的なガス配管である。支持プレート４８は、一例として金属製であり、鋳物製の入口管部１０と出口管部４０から張り出し成形された部分をボルト止めして両管部を相互に位置決め固定すると共に、両管部１０、４０（並びに入側配管２及び出側配管３）を建物壁に固定する役割を果たす。支持プレート４８の奥側には、上向き及び下向きに折り曲げられたプレート状の固定部４８ａ、４８ｂが形成されており、これらの固定部４８ａ、４８ｂが建物壁にビス止めされる。
【００１９】
図１及び図２（Ａ）の左側に示す入口管部１０は、ガスメータ５０の入口５１に接続され、そこから下向きに延び出しその下端が入側配管２に接続される。図１及び図２（Ａ）の右側に示す出口管部４０は、ガスメータ５０の出口５２に接続され、そこから下向きに延び出しその下端が出側配管３に接続される。入口管部１０とガスメータ５０の入口５１及び出口管部４０とガスメータ５０の出口５２は、本発明の特徴的な部分であるワンタッチ式の継手６０により接続されている。このワンタッチ式の継手６０について図を参照して更に詳述する。
【００２０】
図３〜図５は、ワンタッチ式継手を有する入口管部及びガスメータの入口並びに出口管部及びガスメータの出口の内部構成を説明するための図である。図３（Ａ）は継手接続前の断面図、図３（Ｂ）は（Ａ）のＡ部の拡大断面図、図４（Ａ）は継手接続後の断面図、図４（Ｂ）は（Ａ）のＢ部の拡大断面図、図５（Ａ）は継手接続取り外し後の断面図、図５（Ｂ）は（Ａ）のＣ部の拡大断面図である。尚、ワンタッチ式の継手６０は、入口管部１０とガスメータ５０の入口５１及び出口管部４０とガスメータ５０の出口５２において同一のものが使用されているため、図３では入口管部１０とガスメータ５０の入口５１の側のみを示す。
【００２１】
図３（Ａ）に示すように、入口管部１０は、円筒状の部位であり、ガスが通るガス通路１２を有している。このガス通路１２の略中央には、図１に示すガス栓１４が配置される。出口管部４０は、円筒状の部位であり、ガスが通るガス通路４２を有している。このガス通路４２の略中央には、図１に示す検圧プラグ４４が配置される。
【００２２】
図３（Ｂ）に示すように、ワンタッチ式継手６０は、袋ナット６１、ストップリング６３、該袋ナット６１が螺合可能なネジ部６５、２つのＯリング６７ａ、６７ｃ及び該ネジ部６５の内周に差し込み可能な差込部６９を備えている。
ネジ部６５は、入口管部１０の上端周面に一体形成されている。袋ナット６１は、ネジ部６５に螺合されている。ストップリング６３は、Ｃ字状に形成されており、袋ナット６１の内周に形成されている環状のリング溝６１ａに嵌め込まれている。差込部６９は、ガスメータ５０の入口５１の下端周面に設けられている。この差込部６９の周面には、ストップリング６３が嵌り込む環状のリング溝６９ａ及びストップリング６３を押圧して拡径する環状の凸部６９ｂが形成されている。
【００２３】
Ｏリング６７ａ、６７ｃは、ネジ部６５の内周面に上下２段にわたって形成されている環状のＯリング溝６５ａ、６５ｃに嵌め込まれている。これらのＯリング６７ａ、６７ｃは、差込部６９の周面で潰されてシールするようになっている。一方のＯリング６７ａは、ガスシールもしくは水密シールであり、他方のＯリング６７ｃは、水密シールもしくはガスシールである。尚、図ではＯリング溝６５ｃ（Ｏリング６７ｃ）がＯリング溝６５ａ（Ｏリング６７ａ）よりも小径に形成されているが、これは差込部６９をネジ部６５に差し込み易くするためであり、両溝６５ａ、６５ｃ（両Ｏリング６７ａ、６７ｃ）は同径であっても良い。
【００２４】
以上のような構成のガスメータ５０の入口５１及び出口５２を、ワンタッチ式継手６０を介して入口管部１０及び出口管部４０に接続及び接続解除する際の作業手順について説明する。
尚、入口管部１０及び出口管部４０は、入側配管２及び出側配管３に接続され、更に支持プレート４８に位置決め固定されて建物壁に固定されているものとする。更に、袋ナット６１は、ネジ部６５に螺合され、ストップリング６３は、袋ナット６１のリング溝６１ａに嵌め込まれ、Ｏリング６７ａ、６７ｃは、ネジ部６５のＯリング溝６５ａ、６５ｃに嵌め込まれているものとする。
【００２５】
先ず、接続作業について説明する。ガスメータ５０の入口５１及び出口５２の側が下方を向くようにして、該メータ５０をガスメータ取付ユニット１の上方に配置する。そして、図３（Ａ）、（Ｂ）に示すように、同入口５１及び同出口５２を入口管部１０及び出口管部４０の各上端に位置合わせする。続いて、図４（Ａ）、（Ｂ）に示すように、差込部６９を袋ナット６１内周からネジ部６５内周に差し込む。
【００２６】
このとき、ストップリング６３は、差込部６９の凸部６９ｂに押圧されて袋ナット６１のリング溝６１ａ内で拡径し、差込部６９のリング溝６９ａに達すると縮径する。これにより、差込部６９と袋ナット６１は抜け止めされる。そして、Ｏリング６７ａ、６７ｃは、差込部６９の周面で潰され、ガスメータ５０の入口５１及び出口５２と入口管部１０及び出口管部４０との間がシールされる。以上によりガスメータ取付ユニット１へのガスメータ５０の接続作業が完了する。
【００２７】
次に、接続解除作業について説明する。袋ナット６１を緩む方向に回転させると、袋ナット６１と差込部６９はストップリング６３により一体となっているため、差込部６９は自然にネジ部６５から抜き出されていく。そして、最終的に、図５（Ａ）、（Ｂ）に示すように、袋ナット６１をネジ部６５から取り外すことにより、差込部６９もネジ部６５から抜き出すことができる。以上によりガスメータ取付ユニット１からのガスメータ５０の接続解除作業が完了する。
【００２８】
次に、上記のように取り付けられたガスメータ取付ユニット１及びガスメータ５０の動作について説明する。メータ取付直後は、例えば、図１に示すガス栓１４のハンドル１４ａは図示の状態から右回り９０°回転された状態にあり、ガス栓１４は閉状態となっている。よって、建物壁に沿う入側配管２からのガスの流通が阻止されている。
【００２９】
そして、ガス栓１４のハンドル１４ａを左回り９０°回転させた状態、即ち図１に示すようにハンドル１４ａに形成された矢印１４ｃが上方向を向いた状態になると、ガス栓１４は開状態となる。よって、建物壁に沿う入側配管２からのガスが、入口管部１０のガス通路１２を経由してガスメータ５０の入口５１に送り込まれる。
【００３０】
ガスメータ５０では、送り込まれたガスがその内部を通過する際に超音波方式により流量が検出され、その検出結果がメータ表示部５５に表示される。ガスメータ５０の出口５２から送り出されたガスは、出口管部４０のガス通路４２を経由して出側配管３に送られる。このとき、ガス通路４２を通るガス圧が検圧プラグ４４により検出される。
【００３１】
以上説明した本実施形態のガスメータ取付ユニット１によれば、入口管部１０及び出口管部４０とガスメータ入口５１及び出口５２のワンタッチ式継手６０を接続するときは差し込み動作のみで良い。このため、従来のように両継手がユニオンの場合に必要であった入口管部１０及び出口管部４０とガスメータ入口５１及び出口５２との芯出しを行う必要が無い。また、ワンタッチ式継手６０を接続した後はストップリング６３により入口管部１０及び出口管部４０とガスメータ入口５１及び出口５２とが自動的に抜け止めされるので、抜け止め作業を省略することができる。よって、ガスメータ５０の取付作業に手間が掛からず、取付作業に熟練していなくても該メータ５０を簡易に取り付けることができる。
【００３２】
上述した実施形態では、入口管部１０とガスメータ５０の入口５１及び出口管部４０とガスメータ５０の出口５２は、ワンタッチ式の継手６０により接続するようにしたが、何れか一方を差し込み式の継手もしくは締結式の継手としても良い。
図６は、ガスメータの出口管部側を差し込み式継手とした例である。図６（Ａ）は該継手接続前の拡大断面図、図６（Ｂ）は該継手接続後の拡大断面図である。
図６（Ａ）に示すように、差し込み式継手７０は、差し込み凹部７１、該凹部７１に差し込み可能な差し込み凸部７３及び２つのＯリング７５ａ、７５ｃを備えている。
【００３３】
差し込み凹部７１は、ガスメータ５０の出口５２の下端内周面に設けられている。
差し込み凸部７３は、出口管部４０の上端に設けられている。Ｏリング７５ａ、７５ｃは、差し込み凸部７３の周面に上下２段にわたって形成されている環状のＯリング溝７３ａ、７３ｃに嵌め込まれている。これらのＯリング７５ａ、７５ｃは、差し込み凹部７１の周面で潰されてシールするようになっている。一方のＯリング７５ａは、ガスシールもしくは水密シールであり、他方のＯリング７５ｃは、水密シールもしくはガスシールである。尚、図ではＯリング溝７５ａがＯリング溝７５ｃよりも小径に形成されているが、これは差し込み凸部７３を差し込み凹部７１に差し込み易くするためであり、両溝７３ａ、７３ｃは同径であっても良い。
【００３４】
以上のような構成のガスメータ５０の入口５１及び出口５２を、ワンタッチ式継手６０及び差し込み式継手７０を介して入口管部１０及び出口管部４０に接続及び接続解除する際の作業手順について説明する。
尚、入口管部１０及び出口管部４０は、入側配管２及び出側配管３に接続され、更に支持プレート４８に位置決め固定されて建物壁に固定されているものとする。更に、袋ナット６１は、ネジ部６５に螺合され、ストップリング６３は、袋ナット６１のリング溝６１ａに嵌め込まれ、Ｏリング６７ａ、６７ｃは、ネジ部６５のＯリング溝６５ａ、６５ｃに嵌め込まれているものとする。そして、Ｏリング７５ａ、７５ｃは、差し込み凸部７３のＯリング溝７３ａ、７３ｃに嵌め込まれているものとする。
【００３５】
先ず、接続作業について説明する。ガスメータ５０の入口５１及び出口５２の側が下方を向くようにして、該メータ５０をガスメータ取付ユニットの上方に配置する。そして、図３（Ｂ）及び図６（Ａ）に示すように、同入口５１及び同出口５２を入口管部１０及び出口管部４０の各上端に位置合わせする。続いて、図４（Ｂ）に示すように、差込部６９を袋ナット６１内周からネジ部６５内周に差し込むと共に、図６（Ｂ）に示すように、差し込み凹部７１を差し込み凸部７３に被せる。
【００３６】
このとき、ストップリング６３は、差込部６９の凸部６９ｂに押圧されて袋ナット６１のリング溝６１ａ内で拡径し、差込部６９のリング溝６９ａに達すると縮径する。これにより、差込部６９と袋ナット６１は抜け止めされると共に差し込み凹部７１は自然に差し込み凸部７３に嵌め込まれていく。
【００３７】
そして、Ｏリング６７ａ、６７ｃは、差込部６９の周面で潰され、Ｏリング７５ａ、７５ｃは、差し込み凹部７１の周面で潰される。これにより、ガスメータ５０の入口５１及び出口５２と入口管部１０及び出口管部４０との間がシールされる。以上により図６に示すガスメータ取付ユニットへのガスメータ５０の接続作業が完了する。
【００３８】
次に、接続解除作業について説明する。袋ナット６１を緩む方向に回転させると、袋ナット６１と差込部６９はストップリング６３により一体となっているため、差込部６９は自然にネジ部６５から抜き出されていく。同時に、差し込み凹部７１も差し込み凸部７３から自然に抜き出されていく。そして、最終的に、図５（Ｂ）に示すように、袋ナット６１をネジ部６５から取り外すことにより、差込部６９及び差し込み凹部７１もネジ部６５及び差し込み凸部７３から抜き出すことができる。以上により図６に示すガスメータ取付ユニットからのガスメータ５０の接続解除作業が完了する。
【００３９】
以上説明した図６に示す本実施形態のガスメータ取付ユニットによれば、入口管部１０及び出口管部４０とガスメータ入口５１及び出口５２をワンタッチ式継手６０及び差し込み式継手７０により接続するときは差し込み動作のみによるワンタッチで接続できる。このため、従来のように両継手がユニオンの場合に必要であった入口管部１０及び出口管部４０とガスメータ入口５１及び出口５２との芯出しを行う必要が無い。
また、ワンタッチ式継手６０を接続した後はストップリング６３により入口管部１０及び出口管部４０とガスメータ入口５１及び出口５２とが自動的に抜け止めされる。このため、抜け止め作業を省略することができ、ガスメータ５０の取付作業に手間が掛からない。よって、ガスメータ５０の取付作業に熟練していなくても該メータ５０を更に簡易に取り付けることができる。
一方、差し込み式継手７０の接続を取り外すときは差し込み凹部７１を差し込み凸部７３から抜き取る動作のみで良いので、ガスメータ５０をより簡易に取り外すことができる。更に、差し込み式継手７０では従来のメータで使用されるユニオン継手の袋ナットやネジの分だけ部品点数を減少させることができ、部品コストを抑えることができる。
【００４０】
図７は、ガスメータの出口管部側を締結式継手とした例である。図７（Ａ）は該継手接続前の拡大断面図、図７（Ｂ）は該継手接続後の拡大断面図である。
図７（Ａ）に示すように、締結式継手８０は、袋ナット８１、ストッパ８３、該袋ナット８１に螺合可能なネジ部８５及び端面パッキン８７を備えている。
【００４１】
袋ナット８１は、ガスメータ５０の出口５２にＣ字リング状のストッパ８３を介して係止されている。ネジ部８５は、出口管部４０の上端周面に一体形成されている。端面パッキン８７は、ネジ部８５の上端に形成されている段部８５ａに嵌め込まれている。この端面パッキン８７は、該出口５２の下端面５２ａに当接して潰されてシールするようになっている。
尚、該出口５２には、袋ナット８１の上端が当接するように段部５２ｃが形成されている。これにより、ガスメータ５０を出口５２側を下向きにして地上等に載置したときに、袋ナット８１上端が段部５２ｃに当接して袋ナット８１が上方へずれないので、シール面である該下端面５２ａの傷付き等を防止することができる。
【００４２】
以上のような構成のガスメータ５０の入口５１及び出口５２を、ワンタッチ式継手６０及び締結式継手８０を介して入口管部１０及び出口管部４０に接続及び接続解除する際の作業手順について説明する。
尚、入口管部１０及び出口管部４０は、入側配管２及び出側配管３に接続され、更に支持プレート４８に位置決め固定されて建物壁に固定されているものとする。更に、袋ナット６１は、ネジ部６５に螺合され、ストップリング６３は、袋ナット６１のリング溝６１ａに嵌め込まれ、Ｏリング６７ａ、６７ｃは、ネジ部６５のＯリング溝６５ａ、６５ｃに嵌め込まれているものとする。そして、袋ナット８１は、ガスメータ５０の出口５２にＣ字リング状のストッパ８３を介して係止され、端面パッキン８７は、ネジ部８５の段部８５ａに嵌め込まれているものとする。
【００４３】
先ず、接続作業について説明する。ガスメータ５０の入口５１及び出口５２の側が下方を向くようにして、該メータ５０をガスメータ取付ユニットの上方に配置する。そして、図３（Ｂ）及び図７（Ａ）に示すように、同入口５１及び同出口５２を入口管部１０及び出口管部４０の各上端に位置合わせする。続いて、図４（Ｂ）に示すように、差込部６９を袋ナット６１内周からネジ部６５内周に差し込むと共に、図７（Ｂ）に示すように、袋ナット８１をネジ部８５に被せてねじ込む。このねじ込み作業により、差込部６９は自然にネジ部６５に嵌め込まれていく。このとき、ストップリング６３は、差込部６９の凸部６９ｂに押圧されて袋ナット６１のリング溝６１ａ内で拡径し、差込部６９のリング溝６９ａに達すると縮径する。これにより、差込部６９と袋ナット６１は抜け止めされる。
【００４４】
そして、Ｏリング６７ａ、６７ｃは、差込部６９の周面で潰され、端面パッキン８７は、は、ガスメータ５０の出口５２の下端面５２ａで潰される。これにより、ガスメータ５０の入口５１及び出口５２と入口管部１０及び出口管部４０との間がシールされる。以上により図７に示すガスメータ取付ユニットへのガスメータ５０の接続作業が完了する。
【００４５】
次に、接続取り外し作業について説明する。袋ナット６１及び袋ナット８１を緩む方向に回転させると、袋ナット６１と差込部６９はストップリング６３により一体となっているため、差込部６９は自然にネジ部６５から抜き出されていく。そして、最終的に、袋ナット６１、８１をネジ部６５、８５から取り外すことにより、差込部６９もネジ部６５から抜き出すことができる。以上により図５に示すガスメータ取付ユニットからのガスメータ５０の接続解除作業が完了する。
【００４６】
以上説明した図７に示す本実施形態のガスメータ取付ユニットによれば、入口管部１０とガスメータ入口５１をワンタッチ式継手６０により接続するときは差し込み動作のみによるワンタッチで接続できる。このため、従来のように両継手がユニオンの場合に必要であった入口管部１０及び出口管部４０とガスメータ入口５１及び出口５２との芯出しを行う必要が無く、ガスメータ５０の取付作業に熟練していなくても該メータ５０を簡易に取り付けることができる。即ち、出口管部４０とガスメータ出口５２を接続する締結式継手８０の１個の袋ネジ８１を締め付けるのみで良いために作業が楽になる。
【００４７】
尚、上述した各実施形態では、入口管部１０及び出口管部４０の上端は同一高さとしたが、何れか一方の高さを高く、例えば入口管部１０の上端を高くすることにより、該上端にガスメータ入口５１を被せた後は、出口管部４０の上端にガスメータ出口５２を被せる際のガイドとして利用することができる。これにより、更に作業を簡易に行うことができる。
【図面の簡単な説明】
【００４８】
【図１】本発明の実施形態に係るガスメータ取付ユニットを示す外観斜視図である。
【図２】図２（Ａ）は図１の取付ユニット及びガスメータの正面図であり、図２（Ｂ）は図２（Ａ）の左側面図であり、図２（Ｃ）は図２（Ａ）の右側面図である。
【図３】図３はワンタッチ式継手を有する入口管部及びガスメータの入口並びに差し込み式継手を有する出口管部及びガスメータの出口の内部構成を説明するための図であり、図３（Ａ）は継手接続前の断面図、図３（Ｂ）は図３（Ａ）のＡ部の拡大断面図である。
【図４】図４はワンタッチ式継手を有する入口管部及びガスメータの入口並びに差し込み式継手を有する出口管部及びガスメータの出口の内部構成を説明するための図であり、図４（Ａ）は継手接続後の断面図、図４（Ｂ）は図４（Ａ）のＢ部の拡大断面図である。
【図５】図５はワンタッチ式継手を有する入口管部及びガスメータの入口並びに差し込み式継手を有する出口管部及びガスメータの出口の内部構成を説明するための図であり、図５（Ａ）は継手接続後の断面図、図５（Ｂ）は図５（Ａ）のＣ部の拡大断面図である。
【図６】図６はガスメータの出口管部側を差し込み式継手とした例であり、図６（Ａ）は該継手接続前の拡大断面図、図６（Ｂ）は該継手接続後の拡大断面図である。
【図７】図７はガスメータの出口管部側を締結式継手とした例であり、図７（Ａ）は該継手接続前の拡大断面図、図７（Ｂ）は該継手接続後の拡大断面図である。
【符号の説明】
【００４９】
１・・・ガスメータ取付ユニット、２・・・入側配管、３・・・出側配管、１０・・・入口管部、１２・・・ガス通路、１４・・・ガス栓、１６、１８・・・継手、４０・・・出口管部、４２・・・ガス通路、４４・・・検圧プラグ、４８・・・支持プレート、５０・・・ガスメータ、５１・・・入口、５２・・・出口、５５・・・メータ表示部、６０・・・ワンタッチ式継手、６１・・・袋ナット、６１ａ、６９ａ・・・リング溝、６３・・・ストップリング、６５・・・ネジ部、６５ａ、６５ｃ・・・Ｏリング溝、６７ａ、６７ｃ・・・Ｏリング、６９・・・差込部、６９ｂ・・・凸部、７０・・・差し込み式継手、７１・・・差し込み凹部、７３・・・差し込み凸部、７３ａ、７３ｃ・・・Ｏリング溝、７５ａ、７５ｃ・・・Ｏリング、８０・・・締結式継手、８１・・・袋ナット、８３・・・ストッパ、８５・・・ネジ部、８５ａ・・・段部、８７・・・端面パッキン
【図１】
2009063547.tif 000003
【図２】
2009063547.tif 000004
【図３】
2009063547.tif 000005
【図４】
2009063547.tif 000006
【図５】
2009063547.tif 000007
【図６】
2009063547.tif 000008
【図７】
2009063547.tif 000009